(57)【要約】【課題】  ケーブル延長装置の構成を複雑化させることなくかつ簡単な操作で、ＲＳ２３２Ｃ信号などの比較的早い信号を音声信号と共に送信することの出来る、ケーブル延長装置の提供。【解決手段】  デジタル信号ＣＳ１は、信号送信器２のデジタル信号変換出力手段４２により、第１のサンプリング周波数のＮ倍でサンプリングされ、信号送信器２のシリアル伝送信号生成送信手段４３により、デジタル音声信号ＬＳＤ、ＲＳＤと、シリアル伝送信号ＴＳとして信号受信器３に送信される。これにより、デジタル信号ＣＳ１が、時間に対して音声程度に変化する信号であっても、信号受信器３のデジタル信号復元出力手段５３は、デジタル信号ＣＳ１を精度良く復元した形で出力することが出来る。【選択図】      図２
2005142776.tif 000002
【特許請求の範囲】
【請求項１】
アナログ音声信号を入力することの出来る、信号送信器を設け、該信号送信器と伝送ケーブルを介して接続自在であって、該伝送ケーブルを介して前記信号送信器から送信されたアナログ音声信号を出力することの出来る、信号受信器を設けて構成した、ケーブル延長装置において、
前記信号送信器は、
前記アナログ音声信号を、第１のサンプリング周波数に対応する周期毎にデジタル音声データに変換して、デジタル音声信号として出力する、音声信号変換出力手段を設け、
第２のサンプリング周波数を、前記第１のサンプリング周波数のＮ倍に演算設定する、第２サンプリング周波数演算設定手段を設け、
シリアル伝送されてきたデジタル信号を、前記第２サンプリング周波数演算設定手段により演算設定された第２のサンプリング周波数に対応する周期毎にデジタル信号データに変換して、デジタル変換信号として出力する、デジタル信号変換出力手段を設け、
前記音声信号変換出力手段から出力されたデジタル音声信号のデジタル音声データと、前記デジタル信号変換出力手段から出力されたデジタル変換信号のデジタル信号データをＮビット、組み合わせてシリアル伝送信号を生成し、前記伝送ケーブルを介して前記信号受信器に送信する、シリアル伝送信号生成送信手段を設け、
前記信号受信器は、
前記信号送信器から送信されたシリアル伝送信号から、前記デジタル変換信号を分離する、デジタル変換信号分離手段を設け、
前記デジタル変換信号分離手段により分離されたデジタル変換信号を、前記デジタル信号に復元し、該復元したデジタル信号を出力する、デジタル信号復元出力手段を設けた、
ことを特徴とする、ケーブル延長装置。
【請求項２】
前記デジタル信号は、調歩同期方式に対応したデータ構造を有しており、
前記信号受信器は、該信号受信器のデジタル信号復元出力手段から出力されたデジタル信号を、前記調歩同期方式に基づいて、スタートビットサンプリング周波数で検出して受信する、デジタル信号受信装置と接続自在であって、
前記信号送信器の第２サンプリング周波数演算設定手段は、前記第２のサンプリング周波数を、前記スタートビットサンプリング周波数以上になるように演算設定する、
ことを特徴として構成した、請求項１記載のケーブル延長装置。
【請求項３】
前記調歩同期方式は、ＲＳ２３２Ｃで規格化されたデータ伝送方式である、
ことを特徴として構成した、請求項２記載のケーブル延長装置。
【発明の詳細な説明】
【技術分野】
【０００１】
本発明は、映像入力ソースからの映像信号や音声信号を、伝送ケーブルを介して離れた場所に配置された映像出力装置に送信することの出来る、ケーブル延長装置に関し、特に、ケーブル延長装置の構成を複雑化させることなくかつ簡単な操作で、ＲＳ２３２Ｃ信号などの比較的早い信号を音声信号と共に送信することの出来る、ケーブル延長装置に関する。
【背景技術】
【０００２】
従来、この種のケーブル延長装置としては、ＬＡＮケーブルを介して、映像入力ソースからのＲＧＢ信号や音声信号を、離れた場所に配置された映像出力装置に送信することの出来る、ケーブル延長装置が知られている。
【発明の開示】
【発明が解決しようとする課題】
【０００３】
ところで、ＲＧＢ信号や音声信号の他に、例えば、ＥＩＡ（米国電子工業会）のＲＳ２３２Ｃ（Recommended Standard-232-C）信号を送信することが出来れば、ＲＳ２３２Ｃ信号に基づいて遠隔操作が可能な映像出力装置（例えばプラズマディスプレイ）にも、ケーブル延長装置を使用することが出来るので、ＬＡＮケーブルを用いながら、ＲＧＢ信号や音声信号と共に、ＲＳ２３２Ｃ信号を送信することが出来る、ケーブル延長装置が望まれていた。
【０００４】
しかし、ＲＳ２３２Ｃ信号などの比較的早い信号は、時間に対して音声程度に変化するため、時間的に変化の少ない信号（例えば接点信号）のようには、音声信号の空き部分に付加することが簡単に出来ない不都合があった。また、ＲＳ２３２Ｃ信号をコマンドとして処理した形で送信すると、ケーブル延長装置にＣＰＵを設ける必要があるため、ケーブル延長装置の構成を複雑化させるばかりか、通信パラメータの設定作業を行う必要があるため、ケーブル延長装置の操作が煩雑になる不都合があった。
【０００５】
そこで、ケーブル延長装置の構成を複雑化させることなくかつ簡単な操作で、ＲＳ２３２Ｃ信号などの比較的早い信号を音声信号と共に送信することの出来る、ケーブル延長装置を提供することを目的とする。
【課題を解決するための手段】
【０００６】
請求項１の発明は、アナログ音声信号（ＬＳＡ、ＲＳＡ）を入力することの出来る、信号送信器（２）を設け、該信号送信器（２）と伝送ケーブル（５）を介して接続自在であって、該伝送ケーブル（５）を介して前記信号送信器（２）から送信されたアナログ音声信号（ＬＳＡ、ＲＳＡ）を出力することの出来る、信号受信器（３）を設けて構成した、ケーブル延長装置（１）において、
前記信号送信器（２）は、
前記アナログ音声信号（ＬＳＡ、ＲＳＡ）を、第１のサンプリング周波数（ＳＳＦ）に対応する周期（ＴＳＳＦ）毎にデジタル音声データ（ＳＤＬ、ＳＤＲ）に変換して、デジタル音声信号（ＬＳＤ、ＲＳＤ）として出力する、音声信号変換出力手段（４１）を設け、
第２のサンプリング周波数（ＣＳＦ）を、前記第１のサンプリング周波数（ＳＳＦ）のＮ倍（例えば８倍）に演算設定する、第２サンプリング周波数演算設定手段（４２）を設け、
シリアル伝送されてきたデジタル信号（ＣＳ１）を、前記第２サンプリング周波数演算設定手段（４２）により演算設定された第２のサンプリング周波数（ＣＳＦ）に対応する周期（ＴＣＳＦ）毎にデジタル信号データ（ＣＤ）に変換して、デジタル変換信号（ＣＳ２）として出力する、デジタル信号変換出力手段（４２）を設け、
前記音声信号変換出力手段（４１）から出力されたデジタル音声信号（ＬＳＤ、ＲＳＤ）の音声データ（ＳＤＬ、ＳＤＲ）と、前記デジタル信号変換出力手段（４２）から出力されたデジタル変換信号（ＣＳ２）のデジタル信号データ（ＣＤ）をＮビット（例えば８ビット）、組み合わせてシリアル伝送信号（ＴＳ）を生成し、前記伝送ケーブル（５）を介して前記信号受信器（３）に送信する、シリアル伝送信号生成送信手段（４３）を設け、
前記信号受信器（３）は、
前記信号送信器（２）から送信されたシリアル伝送信号（ＴＳ）から、前記デジタル変換信号（ＣＳ２）を分離する、デジタル変換信号分離手段（５１）を設け、
前記デジタル変換信号分離手段（５１）により分離されたデジタル変換信号（ＣＳ２）を、前記デジタル信号（ＣＳ１）に復元し、該復元したデジタル信号（ＣＳ１）を出力する、デジタル信号復元出力手段（５３）を設けた、
ことを特徴として構成される。
【０００７】
請求項２の発明は、前記デジタル信号（ＣＳ１）は、調歩同期方式に対応したデータ構造（例えば図３に示すＳＴＡ、ＣＨ、ＳＴＯで構成されるデータ構造）を有しており、
前記信号受信器（３）は、該信号受信器（３）のデジタル信号復元出力手段（５３）から出力されたデジタル信号（ＣＳ１）を、前記調歩同期方式に基づいて、スタートビットサンプリング周波数（ＳＢＦ）で検出して受信する、デジタル信号受信装置（例えば１０Ｂ）と接続自在であって、
前記信号送信器（２）の第２サンプリング周波数演算設定手段（４２）は、前記第２のサンプリング周波数（ＣＳＦ）を、前記スタートビットサンプリング周波数（ＳＢＦ）以上になるように演算設定する、
ことを特徴として構成される。
【０００８】
請求項３の発明は、前記調歩同期方式は、ＲＳ２３２Ｃで規格化されたデータ伝送方式である、
ことを特徴として構成される。
【発明の効果】
【０００９】
請求項１の発明によれば、デジタル信号（ＣＳ１）を、第２のサンプリング周波数（ＣＳＦ）で、音声信号（ＬＳＡ、ＲＳＡ）より細かくサンプリングしながら、デジタル音声信号（ＬＳＤ、ＲＳＤ）と共に信号受信器（３）に送信することが出来るので、伝送ケーブル（５）の信号線数を増やすことなく、デジタル信号（ＣＳ１）が比較的早い信号（例えば音声程度に変化する信号）であっても、デジタル信号（ＣＳ１）を、精度良く復元した形で信号受信器（３）から出力させることが出来る。
【００１０】
請求項２の発明によれば、デジタル信号（ＣＳ１）は、デジタル信号変換出力手段（４２）により、スタートビットサンプリング周波数（ＳＢＦ）以上の、サンプリング周波数でサンプリングされるので、デジタル信号復元出力手段（５３）は、デジタル信号（ＣＳ１）を、スタートビットサンプリング周波数（ＳＢＦ）より木目細かい形で復元することが出来、調歩同期方式によるデジタル信号（ＣＳ１）の受信処理に影響を与えることなく、デジタル信号（ＣＳ１）をデジタル信号受信装置（例えば１０Ｂ）に出力することが出来る。
【００１１】
請求項３の発明によれば、調歩同期方式が、ＲＳ２３２Ｃで規格化されたデータ伝送方式であっても、デジタル信号（ＣＳ１）を、波形としてサンプリングするので、ケーブル延長装置（１）に、コマンド解釈のためのＣＰＵを設けないようにすることが出来る。これにより、ケーブル延長装置（１）の構成が複雑化することを防止することが出来、しかも通信パラメータの設定作業が必要ないので、ケーブル延長装置（１）に伝送ケーブル（５）を接続するだけで、デジタル信号受信装置（例えば１０Ｂ）を遠隔操作することが出来る。
【００１２】
なお、括弧内の番号などは、本発明の理解を助けるために、図面における対応する要素を便宜的に示すものである。従って、本記述は図面上の記載に限定拘束されるものではなく、また、この符号の記載により本発明を解釈すべきでない。
【発明を実施するための最良の形態】
【００１３】
図１は、本発明が適用されるケーブル延長装置の一例を示す外観図、図２は、信号送信器及び信号受信器の構成の一例を示すブロック図、図３は、ＲＳ２３２Ｃ信号の変換処理の説明図、図４は、ツイストペア伝送信号の生成処理の説明図で、（ａ）は左のデジタル音声信号、（ｂ）は右のデジタル音声信号、（ｃ）はＲＳ２３２Ｃ変換信号、（ｄ）はツイストペア伝送信号、図５は、プラズマディスプレイよるＲＳ２３２Ｃ信号の受信処理の説明図である。
【００１４】
［ケーブル延長装置の入出力端子］
図１は、ケーブル延長装置１の一例を示している。ケーブル延長装置１は、図１に示すように、信号送信器２と、信号受信器３とを有している。
【００１５】
信号送信器２は、図１中左方に示すように、筐体２０を有しており、筐体２０には、端子盤２０ａが設けられている。端子盤２０ａには、入力端子として、ＢＮＣケーブル入力端子２１、音声入力端子２２、及びＲＳ２３２Ｃケーブル入力端子２３が設けられており、また出力端子として、ＬＡＮケーブル出力端子２５が設けられている。
【００１６】
ＢＮＣケーブル入力端子２１は、５個のＢＮＣ（Bayonet Neill Concelman）コネクタ（図示せず）を両端に備えた、ＢＮＣケーブル６Ａが接続自在に構成されており、ＲＧＢ信号が入力自在である。なお、ＲＧＢ信号は、Ｒ（赤）信号Ｒ、Ｇ（緑）信号Ｇ、Ｂ（青）信号Ｂ、水平同期信号ＨＤ、及び垂直同期信号ＶＤで構成されるが、以下の説明では、Ｒ信号Ｒ、Ｇ信号Ｇ、及びＢ信号Ｂを区別する必要がないときは、単に色信号Ｒ、Ｇ、Ｂと表現し、水平同期信号ＨＤ、及び垂直同期信号ＶＤを区別する必要がないときは、単に同期信号ＨＤ、ＶＤと表現する。
【００１７】
音声入力端子２２は、ＲＣＡピンプラグ（図示せず）をケーブルの両端に備えた、ＲＣＡケーブル７Ａが接続自在に構成されており、ステレオのアナログ信号（以下「アナログ音声信号ＬＳＡ、ＲＳＡ」という。）が入力自在である。ＲＳ２３２Ｃケーブル入力端子２３は、ＥＩＡ（米国電子工業会）のＲＳ２３２Ｃ（Recommended Standard-232-C）に準拠したＲＳ２３２Ｃケーブル９Ａが接続自在に構成されており、ＲＳ２３２Ｃ信号が入力自在である。ＬＡＮケーブル出力端子２５は、ＥＩＡ／ＴＩＡ（米国電子工業会／米国電気通信工業会）の５６８規格に準拠した、カテゴリ５やカテゴリ６の、ＬＡＮケーブル５が接続自在に構成されている。
【００１８】
次いで、信号受信器３は、図１中右方に示すように、上述した信号送信器２と同様に、筐体３０を有しており、筐体３０には、端子盤３０ａが設けられている。端子盤３０ａには、出力端子として、ＢＮＣケーブル出力端子３１、音声出力端子３２及びＲＳ２３２Ｃケーブル出力端子３３が設けられており、また入力端子として、ＬＡＮケーブル入力端子３５が設けられている。
【００１９】
ＢＮＣケーブル出力端子３１は、上述したＢＮＣケーブル入力端子２１と同様に、ＢＮＣケーブル６Ｂが接続自在に構成されている。音声出力端子３２は、上述した音声入力端子２２と同様に、ＲＣＡケーブル７Ｂが接続自在に構成されている。ＲＳ２３２Ｃケーブル出力端子３３は、上述したＲＳ２３２Ｃケーブル入力端子２３と同様に、ＲＳ２３２Ｃケーブル９Ｂが接続自在に構成されている。ＬＡＮケーブル入力端子３５は、上述したＬＡＮケーブル出力端子２５と同様に、ＬＡＮケーブル５が接続自在に構成されている。
【００２０】
［ケーブル延長装置内の構成］
図２は、信号送信器２及び信号受信器３の構成の一例を示している。図２中左方に示す信号送信器（破線）２は、同期信号付加部４０、ＡＤ変換部４１、ＲＳ２３２Ｃ信号変換部４２、データ加工部４３などを有している。
【００２１】
同期信号付加部４０は、ＢＮＣケーブル入力端子２１に接続されており、ＡＤ変換部４１は、音声入力端子２２に接続されており、ＲＳ２３２Ｃ信号変換部４２は、ＲＳ２３２Ｃケーブル入力端子２３に接続されている。ＡＤ変換部４１、及びＲＳ２３２Ｃ信号変換部４２は、データ加工部４３に接続されており、データ加工部４３及び同期信号付加部４０は、ＬＡＮケーブル出力端子２５に接続されている。
【００２２】
次いで、図２中右方に示す信号受信器（一点鎖線）３は、同期信号分離部５０、データ分離部５１、ＤＡ変換部５２、ＲＳ２３２Ｃ信号復元部５３などを有している。
【００２３】
同期信号分離部５０及びデータ分離部５１は、ＬＡＮケーブル入力端子３５に接続されている。データ分離部５１は、ＤＡ変換部５２及びＲＳ２３２Ｃ信号復元部５３に接続されている。そして、同期信号分離部５０は、ＢＮＣケーブル出力端子３１に接続されており、ＤＡ変換部５２は、音声出力端子３２に接続されており、ＲＳ２３２Ｃ信号復元部５３は、ＲＳ２３２Ｃケーブル出力端子３３に接続されている。
【００２４】
［伝送ケーブルの接続作業］
ケーブル延長装置１は、以上のような構成を有するので、映像入力ソースと映像出力装置とを離れた場所に配置し、映像入力ソースからのＲＧＢ信号と音声信号とを映像出力装置に出力させると共に、映像入力ソースからのＲＳ２３２Ｃ信号に基づいて、映像出力装置を遠隔操作するには、オペレータは、まず、伝送ケーブルの接続などの段取り作業を行う。
【００２５】
ここでは、映像入力ソースとして図１に示すパソコン１０Ａを、映像出力装置として同図に示すプラズマディスプレイ（プラズマテレビ）１０Ｂを用いるものとし、これらパソコン１０Ａ及びプラズマディスプレイ１０Ｂを、例えば１００ｍの間隔を介した所定の位置に配置するものとする。
【００２６】
オペレータは、パソコン１０Ａ及びプラズマディスプレイ１０Ｂをそれぞれ所定の位置に配置すると、図２中左方に示すように、パソコン１０ＡからのＢＮＣケーブル６Ａを、色信号Ｒ、Ｇ、Ｂ、同期信号ＨＤ、ＶＤの入出力が対応するように、信号送信器２のＢＮＣケーブル入力端子２１に接続する。同様に、パソコン１０ＡからのＲＣＡケーブル７Ａを、アナログ音声信号ＬＳＡ、ＲＳＡの入出力が対応するように、音声入力端子２２に接続し、パソコン１０ＡからのＲＳ２３２Ｃケーブル９Ａを、ＲＳ２３２Ｃ入力端子２３に接続する。
【００２７】
パソコン１０Ａと信号送信器２とを接続すると、オペレータは、図２中央に示すように、信号送信器２のＬＡＮケーブル出力端子２５を、ＬＡＮケーブル５を構成するツイストペア線５Ａ、５Ｂ、５Ｃ、５Ｄを介して、信号受信器３のＬＡＮケーブル入力端子３５に接続する。
【００２８】
信号送信器２と信号受信器３とを接続すると、オペレータは、図２中右方に示すように、プラズマディスプレイ１０ＢからのＢＮＣケーブル６Ｂを、上述したＢＮＣケーブル６Ａと同様に、信号受信器３のＢＮＣケーブル出力端子３１に接続する。また、プラズマディスプレイ１０ＢからのＲＣＡケーブル７Ｂを、上述したＲＣＡケーブル７Ａと同様に、音声出力端子３２に接続し、プラズマディスプレイ１０ＢからのＲＳ２３２Ｃケーブル９Ｂを、ＲＳ２３２Ｃケーブル出力端子３３に接続する。
【００２９】
［通信パラメータの設定作業］
こうして、伝送ケーブルを接続すると、オペレータは、パソコン１０Ａ及びプラズマディスプレイ１０Ｂにおいて、ＲＳ２３２Ｃ信号のデータ伝送に関する通信パラメータを設定する。この通信パラメータとしては、通信速度（ボーレート）、データ列ＣＨ（後述）のビット長、ストップビットＳＴＯ（後述）のビット長、パリティの有無などがある。
【００３０】
オペレータは、まず、パソコン１０Ａ、信号送信器２、信号受信器３及びプラズマディスプレイ１０Ｂをそれぞれ起動し、パソコン１０Ａ及びプラズマディスプレイ１０Ｂそれぞれの入力手段（図示せず）を介して、通信速度を設定する。通信速度は通常、１９．２ｋｂｐｓ、９．６ｋｂｐｓ、４．８ｋｂｐｓ、…の複数の値から自由に選択設定することが出来るようになっているが、本発明の特徴を説明する例としては、最も高い通信速度での実施形態が適切であるので、オペレータが、上記入力手段を介して、ＲＳ２３２Ｃ信号ＣＳ１の通信速度を１９．２ｋｂｐｓに設定したものとする。
【００３１】
オペレータは、通信速度と同様に、他の通信パラメータを設定する。これらの通信パラメータはいずれかに限る必要はないが、ここでは、オペレータは、データ列ＣＨのビット長を８ビット、ストップビットＳＴＯのビット長を１ビット、パリティをチェックなしに設定したものとする。
【００３２】
［パソコンからの信号出力］
こうして、段取り作業が終了したところで、オペレータが、パソコン１０Ａの入力手段を介して、ＲＧＢ信号、音声信号、ＲＳ２３２Ｃ信号の出力指令を入力したとする。すると、パソコン１０Ａから、色信号Ｒ、Ｇ、Ｂ及び同期信号ＨＤ、ＶＤが、ＢＮＣケーブル６Ａを介して信号送信器２に出力される。同様に、アナログ音声信号ＬＳＡ、ＲＳＡが、ＲＣＡケーブル７Ａを介して、また、ＲＳ２３２Ｃ信号ＣＳ１が、ＲＳ２３２Ｃケーブル９Ａを介して、信号送信器２に出力される。
【００３３】
出力された、Ｒ信号Ｒ、Ｇ信号Ｇ、Ｂ信号Ｂ、水平同期信号ＨＤ及び垂直同期信号ＶＤは、図２中左方に示すように、ＢＮＣケーブル入力端子２１を介して同期信号付加部４０に入力される。同様に、左のアナログ音声信号ＬＳＡ及び右のアナログ音声信号ＲＳＡは、音声入力端子２２を介してＡＤ変換部４１に入力され、ＲＳ２３２Ｃ信号ＣＳ１は、ＲＳ２３２Ｃケーブル入力端子２３を介してＲＳ２３２Ｃ信号変換部４２に入力される。
【００３４】
［信号送信器における信号処理］
同期信号付加部４０は、入力された同期信号ＨＤ、ＶＤを色信号Ｒ、Ｇ、Ｂ（例えばＢ信号Ｂ）に付加し、これら色信号Ｒ、Ｇ、ＢをＬＡＮケーブル出力端子２５に出力する。
【００３５】
次いで、ＡＤ変換部４１は、入力されたアナログ音声信号ＬＳＡ、ＲＳＡの電圧レベルをそれぞれ、音声サンプリング周波数ＳＳＦ（例えば４４ｋＨｚ）でサンプリングする。ここでは、量子化ビット数が例えば１６ビット長に設定されているものとする。従って、ＡＤ変換部４１は、サンプリングしたアナログ音声信号ＬＳＡ、ＲＳＡの電圧レベルを、音声サンプリング周波数ＳＳＦに対応する音声サンプリング周期ＴＳＳＦ毎に、それぞれ、１６ビット長からなる音声データＳＤＬ、ＳＤＲに変換し、デジタル音声信号ＬＳＤ、ＲＳＤとしてデータ加工部４３に出力する。
【００３６】
ＲＳ２３２Ｃ信号変換部４２は、入力されたＲＳ２３２Ｃ信号ＣＳ１の変換処理を行う。ここで、該変換処理について、図３に沿って説明する。図３は、ＲＳ２３２Ｃ信号ＣＳ１のデータ構造例を示している。
【００３７】
ＲＳ２３２Ｃ信号ＣＳ１は、シリアル信号を構成しており、調歩同期方式に対応したデータ構造を有している。具体的には、ＲＳ２３２Ｃ信号ＣＳ１は、図３に示すように、フレームＦＬを有しており、フレームＦＬは、スタートビットＳＴＡ、データ列ＣＨ及びストップビットＳＴＯで構成されている。
【００３８】
スタートビットＳＴＡは、送信データの送信開始を示しており、フレームＦＬの先頭に１ビット配列されている。データ列ＣＨは、送信データを示しており、上記スタートビットＳＴＡに続いて配列されている。そのデータ長は、既に述べたように８ビットに設定されているので、図３に示すデータ列ＣＨは８ビット長からなる（一部省略して図示）。ストップビットＳＴＯは、データ列ＣＨに続いて配列されており、そのデータ長は１ビットに設定されているので、図３に示すストップビットＳＴＯは１ビット長からなる。
【００３９】
送信データが続く場合は、図３に示すように、上記ストップビットＳＴＯに続いて、次のフレームＦＬが送信されてくることになる。また、送信データが続かない場合は、所定時間のアイドル状態（Ｌｏｗの電圧レベル）を介して、次のフレームＦＬが送信されてくることになる。
【００４０】
なお、ＲＳ２３２Ｃ規格では、Ｈｉｇｈ、Ｌｏｗの電圧レベルが、それぞれ論理「０」、「１」に対応するが、発明を簡便に説明するために、図３に示すＲＳ２３２Ｃ信号ＣＳ１では、Ｈｉｇｈ、Ｌｏｗの電圧レベルがそれぞれ論理「１」、「０」に対応するように示している。
【００４１】
また、ＲＳ２３２Ｃ信号変換部４２では、上述したアナログ音声信号ＬＳＡ、ＲＳＡのサンプリングと同様に、入力されるＲＳ２３２Ｃ信号ＣＳ１の電圧レベルをサンプリングするようになっている。その際、ＲＳ２３２Ｃ信号ＣＳ１に対応するサンプリング周波数（以下「ＲＳ２３２Ｃサンプリング周波数ＣＳＦ」という。）は、上述した音声サンプリング周波数ＳＳＦ（例えば４４ｋＨｚ）のＮ倍になるように設定されており、ここでは、音声サンプリング周波数ＳＳＦの８倍に設定されているものとする。即ち、ＲＳ２３２Ｃ信号変換部４２は、３５２ｋＨｚ（＝４４ｋＨｚ×８）で、ＲＳ２３２Ｃ信号ＣＳ１をサンプリングすることになる。
【００４２】
従って、ＲＳ２３２Ｃ信号変換部４２には、図３に示すように、音声サンプリング周波数ＳＳＦに対応する音声サンプリング周期ＴＳＳＦを８等分した、ＲＳ２３２Ｃサンプリング周期ＴＣＳＦで、サンプリングクロックＳＣＣＳＦが入力されている。ＲＳ２３２Ｃ信号変換部４２は、ＲＳ２３２Ｃ信号ＣＳ１の電圧レベルを、上記サンプリングクロックＳＣＣＳＦに応じて（ＲＳ２３２Ｃサンプリング周期ＴＣＳＦ毎に）、１ビット長からなるＲＳ２３２ＣデータＣＤ（Ｈｉｇｈの電圧レベルに対して「１」、Ｌｏｗの電圧レベルに対して「０」）に変換し、ＲＳ２３２Ｃ変換信号ＣＳ２としてデータ加工部４３に出力する。
【００４３】
次いで、データ加工部４３は、入力された、デジタル音声信号ＬＳＤ、ＲＳＤとＲＳ２３２Ｃ変換信号ＣＳ２とを順次配列する、ツイストペア伝送信号ＴＳの生成処理を行う。ここで、ツイストペア伝送信号ＴＳの生成処理について、図４に沿って説明する。図４は、ツイストペア伝送信号ＴＳの生成処理の説明図で、（ａ）は左のデジタル音声信号ＬＳＤ、（ｂ）は右のデジタル音声信号ＲＳＤ、（ｃ）はＲＳ２３２Ｃ変換信号ＣＳ２、（ｄ）はツイストペア伝送信号ＴＳを示している。
【００４４】
データ加工部４３は、まず、図４（ｄ）に示すように、所定データの組み合わせ（例えば所定データ長からなる連続した「０」）で構成された、位置特定データＬＤを配列する。この位置特定データＬＤは、後述する信号受信器３側で、データの位置を特定するための目印として機能する。
【００４５】
位置特定データＬＤを配列すると、データ加工部４３は、図４（ａ）に示す、左のデジタル音声信号ＬＳＤの通信速度を上げて、左音声データＳＤＬを、図４（ｄ）に示すように圧縮した形で、位置特定データＬＤに続いて配列する。
【００４６】
左音声データＳＤＬを配列すると、データ加工部４３は、左のデジタル音声信号ＬＳＤと同様に、図４（ｂ）に示す、右のデジタル音声信号ＲＳＤの通信速度を上げて、右音声データＳＤＲを、図４（ｄ）に示すように圧縮した形で、左音声データＳＤＬに続いて配列する。
【００４７】
右音声データＳＤＲを配列すると、データ加工部４３は、デジタル音声信号ＬＳＤ、ＲＳＤと同様に、図４（ｃ）に示す、ＲＳ２３２Ｃ変換信号ＣＳ２の通信速度を上げて、ＲＳ２３２ＣデータＣＤを、図４（ｄ）に示すように圧縮した形で、右音声データＳＤＲに続いてＮビット配列する。この「Ｎ」は、ＲＳ２３２Ｃサンプリング周波数ＣＳＦを設定した、音声サンプリング周波数ＳＳＦの倍数Ｎを意味し、倍数Ｎは、上述したように「８」に設定されているので、データ加工部４３は、図４（ｄ）に示すようにＲＳ２３２ＣデータＣＤを８ビット配列する。
【００４８】
データ加工部４３は、上述したデータの配列処理を、音声サンプリング周期ＴＳＳＦ毎に行い、図４（ｄ）に示すように、位置特定データＬＤ、音声データＳＤＬ、ＳＤＲ及び８ビットのＲＳ２３２ＣデータＣＤからなる、ツイストペア伝送データＴＳＤを順次配列した、ツイストペア伝送信号ＴＳを生成する。
【００４９】
ＲＳ２３２Ｃサンプリング周波数（３５２ｋＨｚ）は、音声サンプリング周波数ＳＳＦ（４４ｋＨｚ）と異なる周波数であるが、データ加工部４３は、上述したように、音声サンプリング周期ＴＳＳＦ毎に、音声データＳＤＬ、ＳＤＲと、８ビットのＲＳ２３２ＣデータＣＤとを、ツイストペア伝送データＴＳＤとして組み合わせるので、８ビットのＲＳ２３２ＣデータＣＤに対応するサンプリング周波数は、音声サンプリング周波数ＳＳＦと同じ、４４ｋＨｚ（＝３５２ｋＨｚ／８ビット）となる。
【００５０】
即ち、ツイストペア伝送信号ＴＳでは、音声データＳＤＬ、ＳＤＲと、８ビットのＲＳ２３２ＣデータＣＤとの、通信速度が同じになるので、上述したように、デジタル音声信号ＬＳＤ、ＲＳＤと、ＲＳ２３２Ｃ変換信号ＣＳ２とを、ツイストペア伝送信号ＴＳとして順次配列することが出来る。
【００５１】
なお、図４（ｄ）に示したツイストペア伝送信号ＴＳのデータ構造は、説明に必要なデータのみを示しており、特にこのデータ構造である必要はなく、他のデータ（例えばＲＳ２３２Ｃの制御用信号）を適宜追加することも可能である。また、図４（ｄ）に示した、音声データＳＤＬ、ＳＤＲ、ＲＳ２３２ＣデータＣＤの配列順は一例であって、その配列順は任意である。
【００５２】
ツイストペア伝送信号ＴＳを生成すると、データ加工部４３は、生成したツイストペア伝送信号ＴＳを、ＬＡＮケーブル出力端子２５に出力する。こうして、同期信号付加部４０から出力された、Ｒ信号Ｒ、Ｇ信号Ｇ及びＢ信号Ｂは、ＬＡＮケーブル出力端子２５を介して、それぞれツイストペア線５Ａ、５Ｂ、５Ｃで伝送される。また、データ加工部４３から出力されたツイストペア伝送信号ＴＳは、ＬＡＮケーブル出力端子２５を介してツイストペア線５Ｄで伝送される。
【００５３】
［信号受信器における信号処理］
Ｒ信号Ｒ、Ｇ信号Ｇ及びＢ信号Ｂは、それぞれ、ツイストペア線５Ａ、５Ｂ、５Ｃを伝送すると、ＬＡＮケーブル入力端子３５を介して信号受信器３の同期信号分離部５０に入力される。また、ツイストペア伝送信号ＴＳは、ツイストペア線５Ｄを伝送すると、ＬＡＮケーブル入力端子３５を介して信号受信器３のデータ分離部５１に入力される。
【００５４】
同期信号分離部５０は、色信号Ｒ、Ｇ、Ｂが入力されると、Ｂ信号Ｂに付加されている同期信号ＨＤ、ＶＤを分離し、色信号Ｒ、Ｇ、Ｂ及び同期信号ＨＤ、ＶＤを、ＢＮＣケーブル出力端子３１に出力する。
【００５５】
データ分離部５１は、ツイストペア伝送信号ＴＳが入力されると、ツイストペア伝送信号ＴＳを構成する、ツイストペア伝送データＴＳＤ（図４（ｄ）参照）から、位置特定データＬＤを検出する。位置特定データＬＤを検出すると、各データの位置（位置特定データＬＤから何ビット目か）を特定することが出来るので、データ分離部５１は、検出した位置特定データＬＤを基準に、左右の音声データＳＤＬ、ＳＤＲ、ＲＳ２３２ＣデータＣＤを、ツイストペア伝送信号ＴＳから分離する。
【００５６】
データ分離部５１は、上述した分離処理を、音声サンプリング周期ＴＳＳＦ毎に行い、分離した左右の音声データＳＤＬ、ＳＤＲを、デジタル音声信号ＬＳＤ、ＲＳＤとしてＤＡ変換部５２に出力する。
【００５７】
また、分離したＲＳ２３２ＣデータＣＤのビット長は、既に述べたように８ビットなので（図４（ｄ）参照）、上述した分離処理は、１ビットあたりのＲＳ２３２ＣデータＣＤに対して、ＲＳ２３２Ｃサンプリング周期ＴＣＳＦ（＝ＴＳＳＦ／８）毎に行われることになり、データ分離部５１は、分離したＲＳ２３２ＣデータＣＤを、元のＲＳ２３２Ｃサンプリング周期ＴＣＳＦ毎に出力する形で、ＲＳ２３２Ｃ変換信号ＣＳ２として、ＲＳ２３２Ｃ信号復元部５３に出力する。
【００５８】
次いで、ＤＡ変換部５２は、データ分離部５１からデジタル音声信号ＬＳＤ、ＲＳＤが入力されると、デジタル音声信号ＬＳＤ、ＲＳＤを、音声サンプリング周波数ＳＳＦに基づいてアナログ音声信号ＬＳＡ、ＲＳＡに変換する。アナログ音声信号ＬＳＡ、ＲＳＡに変換すると、ＤＡ変換部５２は、アナログ音声信号ＬＳＡ、ＲＳＡを音声出力端子３２に出力する。
【００５９】
一方、ＲＳ２３２Ｃ信号復元部５３は、データ分離部５１からＲＳ２３２Ｃ変換信号ＣＳ２が入力されると、ＲＳ２３２Ｃ変換信号ＣＳ２を、ＲＳ２３２Ｃサンプリング周波数ＣＳＦに基づいてＲＳ２３２Ｃ信号ＣＳ１に復元する。即ち、ＲＳ２３２Ｃサンプリング周期ＴＣＳＦ毎に、ＲＳ２３２ＣデータＣＤ（「１」又は「０」）に対応させて、Ｈｉｇｈ又はＬｏｗに対応する電圧を出力する。そして、ＲＳ２３２Ｃ信号ＣＳ１を復元すると、ＲＳ２３２Ｃ信号復元部５３は、復元したＲＳ２３２Ｃ信号ＣＳ１を、ＲＳ２３２Ｃケーブル出力端子３３に出力する。
【００６０】
［プラズマディスプレイにおける受信処理］
こうして、同期信号分離部５０から出力された、色信号Ｒ、Ｇ、Ｂ及び同期信号ＨＤ、ＶＤは、ＢＮＣケーブル出力端子３１及びＢＮＣケーブル６Ｂを介して、プラズマディスプレイ１０Ｂに入力される。ＤＡ変換部５２から出力されたアナログ音声信号ＬＳＡ、ＲＳＡは、音声出力端子３２及びＲＣＡケーブル７Ｂを介して、プラズマディスプレイ１０Ｂに入力される。ＲＳ２３２Ｃ信号復元部５３から出力されたＲＳ２３２Ｃ信号ＣＳ１は、ＲＳ２３２Ｃケーブル出力端子３３及びＲＳ２３２Ｃケーブル９Ｂを介して、プラズマディスプレイ１０Ｂに入力される。
【００６１】
プラズマディスプレイ１０Ｂには、ＲＳ２３２Ｃのコマンド解釈のための、ＣＰＵ（図示せず）が内蔵されており、色信号Ｒ、Ｇ、Ｂ、同期信号ＨＤ、ＶＤ、アナログ音声信号ＬＳＡ、ＲＳＡ及びＲＳ２３２Ｃ信号ＣＳ１が、プラズマディスプレイ１０Ｂに入力されると、プラズマディスプレイ１０ＢのＣＰＵは、ＲＳ２３２Ｃ信号ＣＳ１の受信処理を行う。
【００６２】
プラズマディスプレイ１０Ｂでは、ＲＳ２３２Ｃ信号ＣＳ１に対して、調歩同期方式による受信処理が行われる。具体的には、プラズマディスプレイ１０ＢのＣＰＵは、設定された通信速度に対して比較的細かいサンプリング周波数（以下「スタートビットサンプリング周波数ＳＢＦ」という。）で、フレームＦＬの先頭に配列されたスタートビットＳＴＡ（図３参照）を検出し、スタートビットＳＴＡを検出した時点から、それに続くデータ列ＣＨの同期をとり、ＲＳ２３２Ｃ信号ＣＳ１を受信していく。
【００６３】
上述したスタートビットサンプリング周波数ＳＢＦは、通常、通信速度の１６倍に相当する周波数に設定され、本実施形態においても同様に、通信速度の１６倍に相当する周波数に設定されているものとする。通信速度は、既に述べたように１９．２ｋｂｐｓに設定されているので、設定されているスタートビットサンプリング周波数ＳＢＦは、３０７ｋＨｚ（≒１９．２ｋｂｐｓ×１６）となる。
【００６４】
従って、プラズマディスプレイ１０ＢのＣＰＵには、上記スタートビットサンプリング周波数ＳＢＦに対応するサンプリング周期ＴＳＢＦで、サンプリングクロックＳＣＳＢＦが入力されており、プラズマディスプレイ１０ＢのＣＰＵは、上記サンプリングクロックＳＣＳＢＦに応じて、ＲＳ２３２Ｃケーブル出力端子３３の電圧レベルを検知し、Ｈｉｇｈの電圧レベルを検知した場合、スタートビットＳＴＡを検出したものと判定する。
【００６５】
具体的に図５に沿って説明すると、時点ｔ０以前のアイドル状態では、プラズマディスプレイ１０ＢのＣＰＵは、サンプリングクロックＳＣＳＢＦに応じて、Ｌｏｗの電圧レベルを検知しているので、スタートビットＳＴＡを検出していないと判定し、受信処理を開始しない。時点ｔ０で、ＲＳ２３２Ｃ信号ＣＳ１がプラズマディスプレイ１０Ｂに入力されると、電圧レベルがＨｉｇｈになり、時点ｔ１で、プラズマディスプレイ１０ＢのＣＰＵが電圧レベルを検知すると、Ｈｉｇｈの電圧レベルが検知され、スタートビットＳＴＡを検出したと判定する。
【００６６】
ＲＳ２３２Ｃサンプリング周波数ＣＳＦ（３５２ｋＨｚ）は、既に述べたように、音声サンプリング周波数ＳＳＦ（４４ｋＨｚ）の８倍に設定されているので、上記スタートビットサンプリング周波数ＳＢＦ（３０７ｋＨｚ）を超えている（つまり、ＴＣＳＦ＜ＴＳＢＦの関係にある）。従って、ＲＳ２３２Ｃ信号Ｃ１は、信号受信器３側で、スタートビットサンプリング周波数ＳＢＦより木目細かい形で復元されているので、プラズマディスプレイ１０ＢのＣＰＵは、パソコン１０Ａと、プラズマディスプレイ１０Ｂとの間にケーブル延長装置１が介在していても、スタートビットＳＴＡを精度良く検出することが出来る。
【００６７】
なお、音声サンプリング周波数ＳＳＦの倍数Ｎは、ＲＳ２３２Ｃサンプリング周波数ＣＳＦが、スタートビットサンプリング周波数ＳＢＦ以上であれば、必ずしも「８」である必要はなく、例えば、「８」以外（例えば「１６」）に設定することも可能である。
【００６８】
即ち、ＲＳ２３２Ｃ信号ＣＳ１の通信速度、音声サンプリング周波数ＳＳＦ、スタートビットサンプリング周波数ＳＢＦとして、それぞれ、１９．２ｋｂｐｓ、４４ｋＨｚ、３０７ｋＨｚ（通信速度の１６倍）の場合について説明したが、いずれの値であっても、ＲＳ２３２Ｃサンプリング周波数ＣＳＦ（音声サンプリング周波数ＳＳＦのＮ倍）が、スタートビットサンプリング周波数ＳＢＦ以上となるように、倍数Ｎを設定すればよい。
【００６９】
こうして、スタートビットＳＴＡを検出すると、プラズマディスプレイ１０ＢのＣＰＵは、サンプリング周波数を、上記スタートビットサンプリング周波数ＳＢＦから切り替え設定して、ＲＳ２３２Ｃ信号ＣＳ１の受信処理を開始する。即ち、プラズマディスプレイ１０ＢのＣＰＵは、図５に示すように、時点ｔ１から半周期Ｔ０／２が経過した、時点ｔ２で、スタートビットＳＴＡの同期をとると、その後、時点ｔ２から１周期Ｔ０毎に、データ列ＣＨ中の各ビットデータを受け付けていく。
【００７０】
こうして、プラズマディスプレイ１０ＢのＣＰＵは、色信号Ｒ、Ｇ、Ｂ及び同期信号ＨＤ、ＶＤに対応する映像と、アナログ音声信号ＬＳＡ、ＲＳＡに対応する音声とを出力すると共に、受信したＲＳ２３２Ｃ信号ＣＳ１の送信データが示す指示に基づく制御を実行する。
【００７１】
上記送信データが示す指示が、音量の変更である場合、アナログ音声信号ＬＳＡ、ＲＳＡに対応する音声を、その指示に応じた音量に変更設定する。これ以降、オペレータがパソコン１０Ａの入力手段を介して、所定制御（例えば電源のオフ）の指令を入力すると、対応するＲＳ２３２Ｃ信号ＣＳ１が、上述と同様に、パソコン１０Ａからケーブル延長装置１を介してプラズマディスプレイ１０Ｂに送信され、プラズマディスプレイ１０ＢのＣＰＵは、上記所定制御を実行していく。
【００７２】
以上のように、本発明に係るケーブル延長装置１は、ＲＳ２３２Ｃ信号を、ＲＳ２３２Ｃサンプリング周波数ＣＳＦで、アナログ音声信号ＬＳＡ、ＲＳＡより細かくサンプリングしながら、デジタル音声信号ＬＳＤ、ＲＳＤと共に信号受信器３に送信するので、ＬＡＮケーブルを用いながら、ＲＳ２３２Ｃ信号のように比較的早い信号（例えば音声程度に変化する信号）であっても、ＲＳ２３２Ｃ信号を、精度良く復元した形で信号受信器３から出力させることが出来、映像出力装置を、ＲＳ２３２Ｃ信号に基づいて遠隔操作することが出来る。
【００７３】
また、本発明に係るケーブル延長装置１は、ＲＳ２３２Ｃ信号ＣＳ１を、コマンドとして処理することなく、電圧レベルのＨｉｇｈ／Ｌｏｗに応じたデジタル信号（ＲＳ２３２Ｃ信号ＣＳ２）に変換するので（つまり波形としてサンプリングしているので）、上述したプラズマディスプレイ１０Ｂと異なり、コマンドを解釈するためのＣＰＵを、ケーブル延長装置１に設ける必要がなく、ケーブル延長装置１の構成を簡単にすることが出来る。しかも通信パラメータの設定作業が必要ないので、ケーブル延長装置１に伝送ケーブルを接続するだけで、映像出力装置を遠隔操作することが出来る。
【００７４】
なお、上述した実施形態において、調歩同期方式のデータ伝送方式として、ＲＳ２３２Ｃについて説明したが、特にこれに限る必要はなく、例えば、ＥＩＡのＲＳ４２２のシリアルインターフェース規格でもよい。また、データ伝送方式は、必ずしも調歩同期方式である必要はなく、同期方式であってもよい。この場合、倍数Ｎは、スタートビットサンプリング周波数ＳＢＦに応じて設定する必要はなく、映像出力装置が、送信する信号の同期をとることが出来る程度に、倍数Ｎを設定すればよい。更に、音声程度に変化する信号の一例として、ＲＳ２３２Ｃ信号のような映像出力装置を制御する信号を示したが、これに限る必要はなく、例えば、アナログ音声信号ＬＳＡ、ＲＳＡとは別に、他の音声信号を送信することも可能である。
【産業上の利用可能性】
【００７５】
本発明の活用例としては、映像出力装置として、プラズマディスプレイのみならず、パーソナルコンピュータ、プロジェクタ、ＯＨＰ（Overhead Projector）などにも適用することが出来る。
【図面の簡単な説明】
【００７６】
【図１】図１は、本発明が適用されるケーブル延長装置の一例を示す外観図である。
【図２】図２は、信号送信器及び信号受信器の構成の一例を示すブロック図である。
【図３】図３は、ＲＳ２３２Ｃ信号の変換処理の説明図である。
【図４】図４は、ツイストペア伝送信号の生成処理の説明図で、（ａ）は左のデジタル音声信号、（ｂ）は右のデジタル音声信号、（ｃ）はＲＳ２３２Ｃ変換信号、（ｄ）はツイストペア伝送信号を示す図である。
【図５】図５は、プラズマディスプレイによるＲＳ２３２Ｃ信号の受信処理の説明図である。
【符号の説明】
【００７７】
１……ケーブル延長装置
２……信号送信器
３……信号受信器
５……伝送ケーブル（ＬＡＮケーブル）
１０Ｂ……デジタル信号受信装置（プラズマディスプレイ）
４１……音声信号変換出力手段（ＡＤ変換部）
４２……第２サンプリング周波数演算設定手段、デジタル信号変換出力手段（ＲＳ２３２Ｃ信号変換部）
４３……シリアル伝送信号生成送信手段（データ加工部）
５１……デジタル変換信号分離手段（データ分離部）
５３……デジタル信号復元出力手段（ＲＳ２３２Ｃ信号復元部）
ＣＤ……デジタル信号データ（ＲＳ２３２Ｃデータ）
ＣＳ１……デジタル信号（ＲＳ２３２Ｃ信号）
ＣＳ２……デジタル変換信号（ＲＳ２３２Ｃ変換信号）
ＣＳＦ……第２のサンプリング周波数（ＲＳ２３２Ｃサンプリング周波数）
ＬＳＡ、ＲＳＡ……アナログ音声信号
ＬＳＤ、ＲＳＤ……デジタル音声信号
ＳＤＬ、ＳＤＲ……デジタル音声データ（左音声データ、右音声データ）
ＴＣＳＦ……第２のサンプリング周波数に対応する周期（ＲＳ２３２Ｃサンプリング周期）
ＴＳ……シリアル伝送信号（ツイストペア伝送信号）
ＴＳＳＦ……第１のサンプリング周波数に対応する周期（音声サンプリング周期）
ＳＢＦ……スタートビットサンプリング周波数
ＳＳＦ……第１のサンプリング周波数（音声サンプリング周波数）
【図１】
2005142776.tif 000003
【図２】
2005142776.tif 000004
【図３】
2005142776.tif 000005
【図４】
2005142776.tif 000006
【図５】
2005142776.tif 000007